(57)【要約】【課題】固定位置を自由に変更できる空間構造を形成する平板部材の固定装置を提供することを課題とする。【解決手段】上記課題を解決するため、本発明は、平板（ガラスパネル４０）を２枚のプレートで保持する平板保持部材１０と、柱５０に固定され、前記平板を平板保持部材１０を介して支持するブラケット２０と、平板保持部材１０とブラケット２０との間に接続され、柱５０から前記平板までの距離を調整するアジャスタ３０と、を備え、平板保持部材１０は、前記平板の表面に配置される表プレート１１と、前記平板の裏面に配置される裏プレート１３とを有し、裏プレート１３には、前記平板の固定位置を調整するための調整手段が設けられている構成とした。【選択図】図１
2007132143.tif 000002
【特許請求の範囲】
【請求項１】
平板を柱に固定する平板固定装置であって、
前記平板を２枚のプレートで保持する平板保持部材と、
前記柱に固定され、前記平板を前記平板保持部材を介して支持するブラケットと、
前記平板保持部材と前記ブラケットとの間に接続され、前記柱から前記平板までの距離を調整するアジャスタと、を備え、
前記平板保持部材は、
前記平板の表面に配置される表プレートと、
前記平板の裏面に配置される裏プレートとを有し、
前記裏プレートには、前記平板の固定位置を調整するための調整手段が設けられていることを特徴とする平板固定装置。
【請求項２】
前記ブラケットは、前記柱の横面に固定され、
前記ブラケットによって支持される前記平板は、前記柱の前面と略平行に配置され、
前記調整手段は、前記平板の横方向端部が前記柱の前面に配置される第１の固定位置と、前記平板の横方向端部が前記柱の横方向に配置される第２の固定位置と、を有することを特徴とする請求項１に記載の平板固定装置。
【請求項３】
前記アジャスタは、軸長さが異なる複数種類の中から前記調整手段が採る固定位置に応じて１つが決定されるものであることを特徴とする請求項１又は請求項２に記載の平板固定装置。
【請求項４】
前記調整手段は、前記裏プレートの横方向中心軸上に複数設けられた貫通孔であることを特徴とする請求項１から請求項３のいずれかに記載の平板固定装置。
【請求項５】
前記裏プレートの前記平板と接する面側に、前記平板を貫通して平板を支持するための断面略矩形の凸部が復数設けられていることを特徴とする請求項１から請求項４のいずれかに記載の平板固定装置。
【請求項６】
前記平板保持部材における横方向の端部の形状が両端において異なるものであることを特徴とする請求項１から請求項５のいずれかに記載の平板固定装置。
【発明の詳細な説明】
【技術分野】
【０００１】
本発明は、平板の固定位置を自由に変更することが可能な平板固定装置に関する。
【背景技術】
【０００２】
近年情報機器の更新が比較的早く行われる状況下では、オフィス等の空間を柱や梁、平板を用いて情報機器の更新に合わせて再形成することが行われている。このようなオフィス空間を再形成する部材の中でも平板は、空間の間仕切りや壁として用いることが可能であり、このような平板が用いられる空間構造体によればオフィス空間の再形成が可能となる。
【０００３】
上記のように例えば平板を空間の間仕切りや壁として用いる場合には、平板を何らかの形で柱などに固定する必要がある。平板には様々な種類が例示されるが、平板の中でも特に取り扱いに注意を要するものとしてガラスパネルが例示され、該ガラスパネルを固定する技術として以下のような技術が知られている。
【０００４】
特許文献１に記載の技術によれば、雄ねじ部材や雌ねじ部材の板材からの突出量を小さくしながら必要な螺合代を確保する構成とすることで、ガラス板の外観を損なうことなくガラス板と平板材とを締め付け固定することが可能となる。また、特許文献２に記載の技術によれば、特殊なクリップを用いることで簡易迅速に窓ガラスを取付パネルに取り付けることが可能となる。特許文献３に記載の技術によれば、硬質の弾性部材を、板ガラス厚み方向の略前幅に亘るガラス端面と、そのガラス端面に対抗する受け部の板ガラス厚み方向中間部位とで挟みこまれるように設けることで、板ガラスや金属製支持体の取り付けに高い精度を要することなく、板ガラスが破損し難い固定具を提供することができる。
【特許文献１】特開２０００−８７９２５号公報
【特許文献２】特開平１０−５８９６８号公報
【特許文献３】特開２００５−１７１６７０号公報
【発明の開示】
【発明が解決しようとする課題】
【０００５】
上記技術は、平板の中でも特に取り扱いに注意を要するガラスパネルを固定する際の課題である、外観性の向上、取り付けの容易性、破損防止等を解決するものであるが、以下の課題については解決されているものではない。すなわち、ガラスパネルに限らず、オフィス等の空間において新たに空間構造を形成する場合には壁や間仕切りの固定位置を自由に変更できることが要求される。これは、例えば柱を構造部材として使用し平板部材等を柱に固定して空間構造を形成する場合を考えると、柱の固定位置は変更せずに平板の固定位置を変更することで新たな空間構造を形成できるとなると柱を移動する手間が省けるとともに空間設計の自由度も向上するからである。
【０００６】
また、情報機器の更新に合わせて空間構造を再形成した場合において、その後の事情により例えば壁や間仕切りとしての機能を発揮する平板の固定位置を変更させたい場合も生じる。その後の事情には様々な理由が挙げられるが、例えばこの壁の移動が数センチ程度の僅かなものであっても、調整機能を持たない部材構成では場合によっては柱ごと移動する必要も生じ、煩わしさに耐えない。
【０００７】
本発明は、上記問題に鑑みてなされたものであり、固定位置を自由に変更できる空間構造を形成する平板部材の固定装置を提供することを課題とする。
【課題を解決するための手段】
【０００８】
本発明では、上記の課題を解決するため、以下の手段を採用した。すなわち平板を柱に固定する平板固定装置であって、前記平板を２枚のプレートで保持する平板保持部材と、前記柱に固定され、前記平板を前記平板保持部材を介して支持するブラケットと、前記平板保持部材と前記ブラケットとの間に接続され、前記柱から前記平板までの距離を調整するアジャスタと、を備え、前記平板保持部材は、前記平板の表面に配置される表プレートと、前記平板の裏面に配置される裏プレートとを有し、前記裏プレートには、前記平板の固定位置を調整するための調整手段が設けられていることを特徴とする。
【０００９】
本発明に係る平板固定装置によれば、前記調整手段および前記アジャスタにより柱に固定される平板の固定位置を自由に変更することができる。また、前記調整手段、前記アジャスタ、および前記ブラケットは、それぞれ独立した部材であるため、柱に固定されたブラケットの位置を変更することなく前記平板の固定位置を自由に変更することができる。なお、柱の形状は特に限定されるものではないが、例えば断面形状を略矩形とすることで柱の面を基準として平板の固定位置を変更することができる。
【００１０】
本発明に係る平板は、空間構造を形成する部材であって、壁や間仕切りとしての機能を担うものである。平板を構成する材質も特に限定されるものではないが、取り扱いに特に注意が必要とされるガラスパネルにも適している。
【００１１】
本発明に係る平板保持部材は、前記平板の表面に配置される表プレートと前記平板の裏面に配置される裏プレートの２枚のプレートにより構成される。例えば、前記平板の上端角部の両面に前記２枚のプレートを挟み込むように配置して固定する。前記２枚のプレートに、ネジなどの締結部材を貫通するための孔を形成し、平板にもこれに対応する孔を形成することで、平板保持部材と平板を固定することが可能となる。
【００１２】
前記保持部材を構成する裏プレートは、平板の固定位置を調整するための調整手段を有する。調整手段を備えることで平板の固定位置を自由に変更することができる。また、本発明に係る平板固定装置は、柱に固定されるブラケットによって平板が支持されるものであるが、平板保持部材とブラケットはそれぞれ独立した部材であることからブラケットを柱に固定したまま、換言するとブラケットの固定位置を変えることなく平板の固定位置を変更することができる。
【００１３】
調整手段は、前記裏プレートに接続されるアジャスタの接続位置を調整するものであり、このアジャスタとの接続位置を変更することでアジャスタの軸方向と直角の方向の移動が可能となる。したがって、アジャスタの軸方向が前記ブラケットが接続される柱の横面と平行である場合には、前記裏プレートと表プレートに保持される平板は前記柱の前面と平行な方向、すなわち横方向への移動が可能となる。なお、調整手段は、基準を設定して段階的に位置を固定するものであってもよいし、スライド可能として任意の位置で固定するものであってもよい。例えば、段階的に平板の固定位置を調整する場合には、調整手段として予め所定の間隔で裏プレートに孔を形成すればよい。裏プレートに設けた孔を用いてボルト等の締結部材を用いてアジャスタと接続することで、平板を固定することができる。一方、スライド可能として任意の位置で固定する場合には、調整手段として裏プレートの長手方向に直線上の切れ目を設け、前記切れ目にボルト等の締結部材を貫通させ、前記締結部材を介して前記裏プレートがスライドできる構成とすればよい。これにより、任意の位置でガラスパネルを固定することが可能となる。
【００１４】
ブラケットは、前記平板を前記保持部材を介して支持するものであり、例えば以下のような構成とすることができる。すなわち、柱に固定する固定部と、他の部材に接続する接続部と、前記固定部と前記接続部の間に形成されるアーム部を備える構成とすることがで
きる。また、前記アーム部に直角部を設け又はアーム部と接続部を直角に配置することで、前記ブラケットが固定される前記柱面の直角方向に前記平板を固定することが可能となる。すなわち、前記柱の横方向に前記ブラケットを固定した場合において、前記平板を前記柱の前面に固定することが可能となる。なお、前記ブラケットのアーム部と接続部をＴ字構成とし、アーム部を軸としてその先端に接続される接続部を左右対照構造とし、更にアーム部に接続される前記固定部も前記アーム部を軸として上下対照構造とすることで、柱へ接続する際の向きに関係なく使用することが可能となる。
【００１５】
前記ブラケットの固定部にボルト等の締結部材を挿入するための孔を形成することで前記柱との固定が可能となる。また、前記柱の垂直方向又は／及び水平方向に溝を形成し、前記固定部の柱と接する面側に前記溝に対応する凸部を設けることで柱への位置決めを容易に行うことが可能となる。
【００１６】
ブラケットの接続部は例えば円筒形とし、円筒形の中心軸に孔を形成することができる。円筒形の孔にボルト等の締結部材を挿入し、アジャスタを介して前記締結部材の先端部分を前記平板保持部材に締結することで、平板を固定することが可能となる。また、前述した平板保持部材の調整手段により前記ブラケットの接続部分と前記平板部材の固定位置を相対的に変更することが可能となる。その結果、平板部材の固定位置を変更することができる。
【００１７】
アジャスタは、前記平板保持部材と前記ブラケットとの間に接続される。アジャスタの軸方向の長さを変えることで、前記ブラケットを前記柱に固定した状態のまま平板の位置を変更することが可能となる。アジャスタ本体に軸長さを調整可能な軸長さ調整機構を持たせてもよいが、軸長さが異なる複数種類のアジャスタを用意することで単純構成でありながら、前記柱から前記平板までの距離を調整することができる。アジャスタの形状は特に限定されるものではないが、例えば上述したように前記ブラケットの接続部を円筒形にした場合には、同じ形状にすることが望ましい。また、ボルト等の締結部材を用いて前記ブラケットと前記平板保持部材を固定する場合には、前記アジャスタの中心軸にも前記締結部材を挿入するための孔を形成する。
【００１８】
前記アジャスタの表面には凸部を設けてもよい。前記ブラケットの接続部に前記アジャスタの凸部に対応する凹部を設けることで、前記ブラケットと前記アジャスタとの接続の位置決めが容易となる。なお、アジャスタの表面に形成する凸部を凹部とし、ブラケットの接続部には凸部を設ける構成としてもよい。
【００１９】
また、本発明において、前記ブラケットは、前記柱の横面に固定され、前記ブラケットによって支持される前記平板は、前記柱の前面と略平行に配置され、前記調整手段は、前記平板の横方向端部が前記柱の前面に配置される第１の固定位置と、前記平板の横方向端部が前記柱の横方向に配置される第２の固定位置と、を有することとしてもよい。
【００２０】
このように本発明に係る平板保持部材は、少なくとも２段階に固定位置を変更することが可能な調整手段を備えることで前記柱に固定されたブラケットの位置を変えることなく平板の位置を変更することが可能となる。ここで、本発明においてはブラケットを柱の横面に固定するとともに平板を柱の前面と略平行に配置していることから、調整手段により位置を変更することで平板を横方向に移動することが可能となる。なお、ブラケットを柱の横面に固定するとともに平板を柱の前面と略平行に配置するためには、前記アーム部に直角部を設け又はアーム部と接続部を直角に配置すればよい。
【００２１】
平板を前記第１の固定位置で固定するためには、前記裏プレートの一端から前記アジャスタが接続される位置までの距離を前記柱の中心軸から前記アジャスタの中心軸までの距
離と一致させればよい。前記平板の横方向端部と前記保持部材の横方向端部の位置を一致させ、前記裏プレートがアジャスタに接続される位置を上記の様にすることで、平板を前記第１の固定位置で固定することが可能となる。
【００２２】
平板を前記第２の固定位置で固定するためには、前記裏プレートの一端から前記アジャスタが接続される位置までの距離を前記柱の中心軸から前記アジャスタの中心軸までの距離よりも短くすればよい。より具体的には、少なくとも柱の幅の分だけ前記柱の中心軸から前記アジャスタの中心軸までの距離よりも短くすることで、平板を前記第２の固定位置で固定することが可能となる。
【００２３】
また、本発明において、前記アジャスタは、軸長さが異なる複数種類の中から前記調整手段が採る固定位置に応じて１つが決定されるものとしてもよい。
【００２４】
前記調整手段は、平板の面と直角方向の移動を可能とするものであるのに対し、前記アジャスタは、平板の面方向の移動を可能とするものである。したがって、前記調整手段と前記アジャスタを組み合わせることで平板の前後左右への移動が可能となる。
【００２５】
例えば、平板を前記第１の固定位置で固定するためには、アジャスタの軸長さを前記裏プレートのアジャスタとの接続面から前記ブラケットの前記アジャスタとの接続面までの距離よりも長くすればよい。また、平板を前記第２の固定位置で固定するためには、アジャスタの軸長さを前記裏プレートのアジャスタとの接続面から前記ブラケットの前記アジャスタとの接続面までの距離よりも短くすればよい。このように予め軸長さを決めたアジャスタを用意し、上述した保持部材の調整手段が採る固定位置と対応させることで、平板の固定位置をブラケットを変えることなく変更することができる。
【００２６】
また、本発明において、前記調整手段は、前記裏プレートの横方向中心軸上に複数設けられた貫通孔とすることができる。
【００２７】
調整手段を貫通孔とし、ボルト等の締結部材を用いてアジャスタと固定することで貫通孔の位置に応じて平板を固定することができる。したがって、前記第１の固定位置で平板を固定するためには、前記裏プレートの一端から前記アジャスタが接続される位置までの距離を前記柱の中心軸から前記アジャスタの中心軸までの距離と一致させ、この位置に前記貫通孔を形成して前記締結部材を用いて固定するようにすればよい。また、前記第２の固定位置で平板を固定するためには、前記裏プレートの一端から前記アジャスタが接続される位置までの距離を前記柱の中心軸から前記アジャスタの中心軸までの距離よりも短くし、この位置に前記貫通孔を形成して前記締結部材を用いて固定するようにすればよい。
【００２８】
また、本発明は、前記裏プレートの前記平板と接する面側に、前記平板を貫通して平板を支持するための断面略矩形の凸部が所定数設けられていることとしてもよい。
【００２９】
上述のように前記裏プレートは、前記アジャスタと接続されるものであることから、平板の荷重は前記裏プレートに伝達され、アジャスタを介して最終的にブラケットにより支持されるものである。平板を貫通する凸部を所定数設けて前記表プレートと挟み込んで平板を保持する構成とすることで、前記裏プレートへの加重負担を分散させることができる。
【００３０】
また、本発明は、前記平板保持部材における横方向の端部の形状が両端において異なるものとしてもよい。
【００３１】
このような構成とすることで、前記平板保持部材の向きを容易に判断することが可能と
なる。例えば、前記平板保持部材を全体として略長方形とした場合には他端を半円形とすることで平板の向きを容易に判断することが可能となる。
【発明の効果】
【００３２】
本発明によれば、空間構造を形成する部材のうち、壁や間仕切りとしての機能を発揮する平板の固定位置を自由に変更することが可能となる。
【発明を実施するための最良の形態】
【００３３】
次に、本発明に係る平板固定装置の実施形態について図面に基づいて説明する。なお、同一の構成要素については同一の符号を付すことでその詳細な説明を省略する。
【００３４】
図１は、第１の実施形態に係る平板固定装置を柱５０に接続した状態を示す斜視図であり、図２は第１の実施形態に係る平板固定装置を柱５０に接続した状態を示す上面図である。図１に示すように、第１の実施形態に係る平板固定装置は、平板保持部材１０と、柱５０に固定されたブラケット２０と、前記平板保持部材１０と前記ブラケット２０との間に接続されたアジャスタ３０により構成される。第１の実施形態においては、平板としてガラスパネル４０を用い、ガラスパネル４０は保持部材１０により保持されている。平板保持部材１０は、アジャスタ３０に接続され、アジャスタ３０はブラケット２０に接続されている。なお、ブラケット２０は柱５０の両横面にそれぞれ接続され、２枚のガラスパネル４０は柱４０の前面において横方向端部同士が隣接するように固定されている。
【００３５】
また、図２に示すように、平板保持部材１０は表プレート１１と裏プレート１３とにより構成され、ガラスパネル４０を前記両パネルで挟み込むように保持している。平板保持部材１０を構成する裏プレート１３にはボルトを貫通させてアジャスタ３０と接続するための貫通孔が複数形成されており、ボルトを貫通させる貫通孔を変更することでアジャスタ３０との接続位置を変更することができる。裏プレート１３の詳細については後述するが、貫通孔は本発明の調整手段に相当するものである。
【００３６】
第１の実施形態に係る平板固定装置によれば、裏プレート１３とアジャスタ３０との接続位置および前記アジャスタ３０の軸長さを変更することにより柱５０に固定されるブラケット２０の固定位置を変更することなくガラスパネル４０の固定位置を自由に変更することができる。より詳細には、裏プレート１３とアジャスタ３０との接続位置を変更することにより、ガラスパネル４０の横方向の移動を自由に行うことができる。また、アジャスタ３０の軸長さを変更することにより、ガラスパネル４０の前後方向の移動を自由に行うことができる。
【００３７】
次に第１の実施形態に係る平板固定装置を構成する平板保持部材１０、ブラケット２０、アジャスタ３０について図面に基づいて更に詳細に説明する。
【００３８】
図３は、第１の実施形態に係る平板保持部材１０を構成する表プレート１１を示す図である。（ａ）は表プレート１１の正面図、（ｂ）は表プレート１１の背面図、（ｃ）は（ａ）におけるＡ−Ａ断面図である。（ａ）に示すように、第１の実施形態に係る表プレート１１は、長手方向中心線付近に所定の間隔をもって締結部材であるネジを貫通させてガラスパネル４０と固定するための孔１２が２つ形成されている。また、第１の実施形態に係る表プレート１１の一方の端部は半円形状としている。このような構成とすることで、横方向の向きを容易に判断することが可能となる。
【００３９】
図３（ｂ）、（ｃ）に示すように、第１の実施形態に係る表プレート１１の背面のには複数の凹部を形成している。これにより、表プレート１１の軽量化及び強度を向上させることが可能となる。また、孔１２に挿入するネジの頭部が表プレート１１の表面より突出
しないようにネジの頭部の形状に対応する頭部用穴１２ａを形成した。
【００４０】
図４は、第１の実施形態に係る平板保持部材１０を構成する裏プレート１３を示す図である。（ａ）は裏プレート１３の正面図、（ｂ）は表プレート１３の背面図、（ｃ）は（ａ）におけるＢ−Ｂ断面図である。なお、（ａ）は裏プレート１３の正面図であるが、これは換言するとガラスパネル４０と接する面側を示す図である。（ａ）に示すように、第１の実施形態に係る裏プレート１３は、前述した表プレート１１に対応する位置にガラスパネル４０を挟み込んでネジを用いて固定するための孔１２が２つ形成されている。また、貫通孔１４ａ、１４ｂ、１４ｃはボルトを用いてアジャスタ３０と接続するための孔であるとともに本発明に係る調整手段に相当するものである。すなわち、貫通孔１４ａをアジャスタ３０との接続位置に設定した場合には、柱５０の前面でガラスパネル４０の横方向端部同士が隣接するように配置することが可能となる（図１参照）。また、貫通孔１４ｂをアジャスタ３０との接続位置に設定した場合には、柱５０の横方向でガラスパネル４０を固定することが可能となる（図９（ａ）参照）。また、貫通孔１４ｃは貫通孔１４ｂよりもさらに柱５０の横方向、すなわちガラスパネル４０の端部ｄ同士の間隔をより広く設定する場合に用いることができる。
【００４１】
このように、本発明の調整手段に相当する貫通孔１４ａ、１４ｂ、１４ｃの設定位置を変更することでガラスパネル４０の横方向の移動を自由に行うことができる。これは、例えば柱前面に他の部材を設置する場合等に非常に有効である。すなわち、設計当初にいてはガラスパネル４０の横方向端部を隣接して一枚の壁状としていたが、後の事情により例えばディスプレイ等を柱に設置したい場合等に有効である。
【００４２】
また、第１の実施形態に係る裏プレート１３には、ガラスパネル４０を貫通してガラスパネル４０を支持するための凸部１５ａ、１５ｂ、１５ｃ、１５ｄが複数形成されている。ガラスパネル４０にも上記凸部１５ａ、１５ｂ、１５ｃ、１５ｄに対応する孔を設け、表プレート１１と挟み込んでガラスパネル４０を保持する構成とすることで、裏プレート１３への加重負担を分散することができる。なお、前記凸部１５ａ、１５ｂ、１５ｃ、１５ｄは略矩形とし、高さｈはガラスパネル４０の厚みに合わせることが望ましい。さらに、第１の実施形態に係る裏プレート１３には、凹部１８を複数形成した。これにより裏プレート１３の軽量化を図るとともに強度を向上させることができる。
【００４３】
図４（ｂ）は表プレート１３の背面図であり、（ｃ）は（ａ）のＢ−Ｂ断面図である。同図に示すように、ガラスパネル４０と固定するための孔１２とボルトを用いてアジャスタ３０と接続するための貫通孔１４ａ、１４ｂ、１４ｃが設けられている。さらに、後述するアジャスタ３０の接続面に形成された凸部３２の幅と高さに対応する溝部１９を設けられている。これにより溝部１９とアジャスタ３０の凸部３２を接合する際の位置決めが容易となる。また、接続後においてはアジャスタ３０が回転することを防止することができる。なお、（ｃ）に示すように孔部１３ａ１〜１３ｃ１を貫通孔１３ａ〜１３ｃのそれぞれに設けることでボルトの頭部又はナットを孔部に収めることができる。
【００４４】
図５は、第１の実施形態に係るブラケット２０及びアジャスタ３０を示す斜視図であり、図６は第１の実施形態に係るブラケット２０の詳細を示す図であり、図７は第１の実施形態に係るアジャスタ３０の詳細を示す図である。なお、図６および図７について説明すると、図６（ａ）は正面図、（ｂ）は（ａ）におけるＣ−Ｃ断面図、（ｃ）は（ａ）における紙面左側からみた側面図である。また図７（ａ）は上面図、（ｂ）は正面図である。
【００４５】
図５（ａ）に示すように、ブラケット２０は、柱５０に固定する固定部２３と、アジャスタ３０と接続する接続部２１と、固定部２３と接続部２１の間に形成されるアーム部２２を備える構成である。また、図６（ａ）、（ｂ）に示すように、ブラケット２０のアー
ム部２２と接続部２１をＴ字構成とし、アーム部２２を軸としてその先端に接続される接続部２１を左右対照構造とし、更にアーム部２２に接続される固定部２３もアーム部２２を軸として上下対照構造とすることで、柱５０へ接続する際の向きに関係なく使用することが可能となる。なお、第１の実施形態においては接続部２１を円筒形としたがこれに限定されるわけではない。
【００４６】
また、固定部２３には、柱５０にボルト等の締結部材を貫通させて固定するための孔２５が設けられている。また、接続部２１にはボルトを貫通させてアジャスタ３０と接続するための孔２６とアジャスタ３０の接続面に形成された凸部３２と勘合するための凹部２４が４つ形成されている。なお、第１の実施形態においては、両接続面に形成される凹部を連結させて貫通孔とした。また、接続部２１は他の部材に接続することもできる。他の部材には、例えば梁が例示され、この場合には梁の接続断面に凹部２４に対応する凸部を形成することで梁等の他の部材との接続も可能となる。
【００４７】
また、図６（ａ）、（ｃ）に示すように、第１の実施形態においては固定部２３に凸部２７を形成している。柱５０の垂直方向又は／及び水平方向に凸部２７に対応する溝を形成することで柱５０への位置決めを容易に行うことが可能となる。図６（ｃ）の符号２９は凹部であり、これにより固定部２３の軽量化および強度を向上させることができる。
【００４８】
図５（ｂ）に示すように、アジャスタ３０は、軸長さＤからなるアジャスタ本体３１ａからなり、アジャスタ本体３１ａの中心軸周りにはボルト等の締結部材を挿入して裏プレート１３と接続するための孔３３が形成されている。また、アジャスタ本体３１ａの接続面にはブラケット２０の接続部２１及び裏プレート１３の溝部１９と勘合するための凸部３２が形成されており、接続における位置決めが容易となる。
【００４９】
アジャスタ３０の軸長さＤを変えることでガラスパネル４０の前後への移動が可能となる。第１の実施形態においては軸長さＤの値を裏プレート１３のアジャスタ３０との接続面からブラケット２０のアジャスタ３０との接続面までの距離よりも長くした。これにより柱５０の前面にガラスパネル４０を配置することが可能となる。
【００５０】
次に第２の実施形態に係る平板固定装置について図面に基づいて説明する。なお、同一の構成要素について、すでに説明したものについては同一の符号を付すことでその詳細な説明を省略する。
【００５１】
図８は、第２の実施形態を説明する図である。（ａ）は、第２の実施形態に係る平板固定装置を柱５０に接続した状態を示す斜視図であり、（ｂ）は（ａ）の上面図、（ｃ）は第２の実施形態に係るアジャスタ３０を示す斜視図である。すでに説明した第１の実施形態に係る平板固定装置と異なる点は、ガラスパネル４０の固定位置である。すなわち、第１の実施形態においては柱５０の前面においてガラスパネル４０の横方向端部が隣接するように固定されていたが、第２の実施形態においては柱５０の横方向にガラスパネル４０が配置されている点で異なるものである。このような構成とすることで、例えば柱５０の前面に他の部材を接続することが可能となる。また、第１の実施形態においては柱５０の最前面よりもガラスパネルの前面が突出しているが、第２の実施形態においては柱５０の最前面とガラスパネル４０の前面を略同一の位置に収めることができ、ガラスパネル４０で仕切られる限られた空間スペースの有効活用が図ることができる。
【００５２】
ガラスパネル４０の固定位置を柱５０の横方向とするため、第２の実施形態においては、アジャスタ３０の軸長さを第１の実施形態よりも短くするとともにアジャスタ３０と裏プレート１３との接続位置を柱５０寄りとした。より具体的には、裏プレート１３においては貫通孔１４ｂを使用し、アジャスタ３０の軸長さＤが裏プレート１３のアジャスタ３
０との接続面からブラケット２０のアジャスタ３０との接続面までの距離よりも短いものである、アジャスタ本体３１ｂからなるアジャスタ３０を用いることとした。このように予め軸長さが決められているアジャスタ３０を複数用意し、平板保持部材１０の調整手段が採る固定位置と組み合わせることで、ガラスパネル４０の固定位置をブラケット２０の固定位置を変えることなく変更することができる。
【００５３】
次に、図９に基づいて本発明に係る平板固定装置の使用方法について説明する。なお、図９は第１の実施形態に係る平板固定装置を分解した状態を示す斜視図である。
【００５４】
まず、柱５０の横面のそれぞれにブラケット２０を所定の高さに固定する。なお、本実施形態に係る平板固定装置は柱５０に固定されたブラケット２０の固定位置および柱５０そのものを移動することなくガラスパネル４０の固定位置を変更できることを特徴とするものである。したがって、以下の説明はブラケット２０の固定位置を変更せずに行うことを原則とするが、勿論ブラケット２０の固定位置を変えることでガラスパネル４０の上下方向の固定位置を変更することはできる。
【００５５】
ガラスパネル４０の上端角部に表プレート１１と裏プレート１３でガラスパネル４０を挟み込むようにネジ５を用いて固定する。次に裏プレート１３とブラケット２０の接続部２１の間にアジャスタ３０を配置してボルト７をそれぞれの部材を貫通させて固定し、キャップ８をする。なお、第１の実施形態においては裏プレートの貫通孔は１４ａを選択し、アジャスタ３０としてはアジャスタ本体３１ａを使用する。これにより、ガラスパネル４０が柱５０の前面においてガラスパネル４０の横方向端部が隣接するように配置することができる（図１参照）。また、本実施形態においては紙面奥側から頭部のない特殊ボルト７を挿入することとしたがこれに限定されるわけではない。裏プレート１３のガラスパネル４０と接する面側（紙面手前側）より、貫通孔１４ａにボルト７を挿入して固定してもよい。
【００５６】
次にガラスパネル４０の固定位置を柱５０の横方向に変更する場合について説明する。まず、ボルト７を取り外して裏プレート１３とアジャスタ３０とブラケット２０とをそれぞれ分離する。次に、裏プレートの貫通孔として１４ｂを選択し、アジャスタ３０はアジャスタ本体３１ｂを選択する。そして裏プレート１３とブラケット２０の接続部２１の間にアジャスタ３０を配置してボルト７をそれぞれの部材を貫通させて再度固定する。このように非常に簡易な工程によりガラスパネルの固定位置を自由に変更することできる。なお、裏プレート１３のガラスパネル４０と接する面側からボルト７を挿入して固定する場合には、裏プレート１３を一端ガラスパネル４０から取り外し、ボルト７を貫通孔１４ｂに挿入してアジャスタ３０を介してブラケット２０と固定し、最後にガラスパネル４０と再度固定すればよい。
【００５７】
以上、本発明の好適な実施形態を説明したが、本発明に係る平板固定装置はこれらに限らず、可能な限りこれらの組合せを含むことができる。
【図面の簡単な説明】
【００５８】
【図１】第１の実施形態に係る平板固定装置を柱に接続した状態を示す斜視図である。
【図２】第１の実施形態に係る平板固定装置を柱５０に接続した状態を示す上面図である。
【図３】第１の実施形態に係る平板保持部材を構成する表プレートを示す図である。
【図４】第１の実施形態に係る平板保持部材を構成する裏プレートを示す図である。
【図５】第１の実施形態に係るブラケット及びアジャスタを示す斜視図である。
【図６】第１の実施形態に係るブラケットの詳細を示す図である。
【図７】第１の実施形態に係るアジャスタの詳細を示す図である。
【図８】第２の実施形態を説明する図である。
【図９】第１の実施形態に係る平板固定装置を分解した状態を示す斜視図である。
【符号の説明】
【００５９】
５・・・ネジ
７・・・ボルト
１０・・・平板保持部材
１１・・・表プレート
１３・・・裏プレート
１４ａ、１４ｂ、１４ｃ・・・貫通孔
１５ａ、１５ｂ、１５ｃ、１５ｄ・・・凸部
２０・・・ブラケット
２１・・・接続部
２２・・・アーム部
２３・・・固定部
３０・・・アジャスタ
３１ａ、３１ｂ・・・アジャスタ本体
３２・・・凸部
４０・・・ガラスパネル
５０・・・柱
【図１】
2007132143.tif 000003
【図２】
2007132143.tif 000004
【図３】
2007132143.tif 000005
【図４】
2007132143.tif 000006
【図５】
2007132143.tif 000007
【図６】
2007132143.tif 000008
【図７】
2007132143.tif 000009
【図８】
2007132143.tif 000010
【図９】
2007132143.tif 000011